(57)【要約】【課題】縦横自在に合体できる小物入れを提供する。【解決手段】  小物入れ１０，２０、３０，４０，５０，６０は、上面に開口１４を有し、下面が底板１１によって塞がれ、側面が複数の平面側板を有する多角筒体で構成され、前記各側板の外表面にその外表面と同一面に設けられた帯状の磁性部材を備える。複数の小物入れの各帯状の磁性部材を互いに吸着して、複数の小物入れを平面的または立体的に重ね合わせて縦横に展開しできる小物入れの組を提供する。【選択図】  図２
0003105631.tif 000002
【実用新案登録請求の範囲】
【請求項１】
上面に開口を有し、下面が底板によって塞がれ、側面が複数の平面側板を有する多角筒体で構成され、
前記各側板の外表面にその外表面と同一面に設けられた帯状の磁性部材を備えたことを特徴とする小物入れ。
【請求項２】
前記底板の下面の外周縁には前記多角筒体の上縁部と同じ厚さの切り込みが設けられていることを特徴とする請求項１記載の小物入れ。
【請求項３】
前記側板の少なくとも１つの外表面は全面に前記磁性部材が設けられたことを特徴とする請求項１または２記載の小物入れ。
【請求項４】
前記底板の下面の少なくとも一部に磁性部材が設けられたことを特徴とする請求項１乃至３のいずれかに記載の小物入れ。
【請求項５】
前記の底板および側板は、木材で形成されたことを特徴とする請求項１乃至４のいずれかに記載の小物入れ。
【請求項６】
前記の底板および側板は、非鉄金属で形成されたことを特徴とする請求項１乃至４のいずれかに記載の小物入れ。
【考案の詳細な説明】
【技術分野】
【０００１】
本考案は、小物の整理用の小物入れに係り、特に各小物入れ側板の外表面の一部に磁性部材を取り付け、これらの磁性部材の相互の吸引力を利用して、複数の小物入れを平面的または立体的に重ね合わせて縦横に展開しできる小物入れに関する。
【背景技術】
【０００２】
小物入れに関する技術として、例えば、実用新案登録第３０６９１０９号公報に記載のものが知られている。この公報に記載された小物入れは、釣り具やビス、ナットといった小物を整理して収容する携行型のものであるが、ヒンジにより蓋ができるようにした容器に複数の区画壁を設け、これら区画壁および容器内壁のところに形成したアリ溝に仕切り板を嵌め込んで位置決めし、多種類の小物入れを収納する収容部を形成するようにした構造を有するものである。このような構造により、収容する小物の大小に応じて仕切り板を適宜のアリ溝に嵌め込むようにして、収容部の区画を大小に変更する。こうして、どのような大きさの小物に対しても収容部の区画を適宜調整することで効率よく小物を収容し、蓋をして容器を携行することができるようにしたものである。
【特許文献１】実用新案登録第３０６９１０９号公報
【考案の開示】
【考案が解決しようとする課題】
【０００３】
しかしながら、上記小物入れは、アリ溝に嵌め込む仕切り板により小物入れを収納する収容部を間仕切りして形成し、蓋をして持ち運びができるようにした態様のものであり、限られた一定の容器内部空間を仕切り板の取り付け位置を調整して種々変更するようにし、これにより大小の小物を収納するようにしている物である。従って、小物入れを形成する収納部は容器内部の空間に限定され固定的なものとなり、収納される小物も自ずと限定されてしまい、例えば、下着類、コップ類、化粧品類、印鑑等の日常生活品小物、あるいは宝飾品等のアクセサリーといった各種の小物を収納するには一定の限界があるのみならず、内部の小物の出し入れは蓋をその都度開閉して行わなければならなかった。
【０００４】
本考案は、このような問題を解決するために工夫されたものであり、多角筒体を有する小物入れを、平面的に拡がるように置いたり、上下方向に積み重ねたりして、小物収納スペースを縦横自在に展開していくことで、使用勝手の良い小物入れを得ることを目的とするものである。
【課題を解決するための手段】
【０００５】
上記課題を解決するために、本考案は次のように構成される。すなわち、第１の考案の小物入れは、上面に開口を有し、下面が底板によって塞がれ、各側板の外表面が平面に形成された多角筒体で構成され、
前記各側板の外表面にその外表面と同一面に設けられた帯状の磁性部材を備えたことを特徴とする。
【０００６】
また、第２の考案の小物入れは、底板の下面の外周縁には前記多角筒体の上縁部と同じ厚さの切り込みが設けられていることを特徴とする。
【０００７】
また、第３の考案の小物入れは、その側板の少なくとも１つの外表面は全面に前記磁性部材が設けられたことを特徴とする。
【０００８】
また、第４の考案の小物入れは、その底板の下面の少なくとも一部に磁性部材が設けられたことを特徴とする。
【０００９】
また、第５の考案の小物入れは、その底板および側板が木材で形成されたことを特徴とする。
【００１０】
また、第６の考案の小物入れは、その底板および側板が非鉄金属で形成されたことを特徴とする。
【考案の効果】
【００１１】
第１の考案によれば、小物入れの多角筒体多角筒体の形状を、例えば、六角形（正六角形を含む）、四角形（正四角形を含む）、三角形（正三角形を含む）等の多角形に形成し、その多角形を形成する各面の外表面に、磁性部材を外表面と同一面をなすように取り付けるようにしているので、複数の小物入れの各外表面同士を吸着することによって、小物入れの集合体としての小物入れの組が構成される。このように、小物入れを平面的に拡大していくことで小物入れとしての収容スペースを広く形成できる。このとき、例えば、多角筒体の形状が六角形の場合には、上方から眺めると隣接する小物入れがハニカム形状の開口を有する小物入れの組となり、収納がし易く使用勝手の良い小物入れの組を得ることができる。
【００１２】
たとえば、小物入れに収納される小物が、下着類のような場合には洋ダンスや和ダンスに、コップ類の場合には食器棚に、化粧品類の場合には鏡台に、印鑑等の筆記具類の場合には机の引き出し内部に、指輪、首飾りといった宝飾品の如きアクセサリーの場合にはタンスの引き出しの内部に、それぞれ小物入れを収納できるので、種々の小物の整理に用いることができる小物入れの組を実現できる。
【００１３】
また、第２の考案によれば、多角筒体をなす小物入れの底板の外周縁に沿って、多角筒体の上縁部と同じ厚さの切り込みが設けられているので、一の小物入れの切り込み部を他の小物入れの開口部に係合させることによって、複数の小物入れを積み重ねることができる。このように、上方向にも好みの数だけ小物入れを重箱のように重ねていくことができる。もちろん、上下方向に積み重ねた小物入れ同士を平面的に集合させることによって、小物入れを縦横に無限に拡大して増大していくことが可能となる。
【００１４】
また、第３の考案によれば、側板の少なくとも１つの外表面の全面に磁性部材が設けられるので、帯状磁性部材部よりも大きな吸引力を有することができる。従って、鋼板張りの冷蔵庫のドアや側壁面にこの磁性部材を吸着させることによって、小物入れを鉄で構成された製品の壁等に取り付けることができ取り付け範囲を広げることができる。
【００１５】
また、第４の考案によれば、小物入れの底板の下表面の少なくとも一部に磁性部材が設けられるので、例えば、鋼板製の机の上に置くことで、小物入れを机の表面に固定することができる。このように、底面磁性部材を底面に設けているので、小物入れを種々の鉄製品の上面に固定することができる。
【００１６】
また、第５の考案によれば、小物入れは、それを構成する底板や多角筒体を桐等の木材で形成しているので、木質が有する木目が見た目に心地よさを与え、また宝飾品等を傷付けるのを回避できる。
【００１７】
また、第６の考案によれば、小物入れを形成する底板や多角筒体を、例えば、アクリルのような透明のプラスチック材や、アルミニューム等の非鉄金属で形成するため、小物入れ全体として強度を大きくできかつ軽量化が図れるので持ち運びに便利となる。また、透明プラスチックを使用した場合には、小物の収納状態を容易に把握できて便利となる。
【考案を実施するための最良の形態】
【００１８】
実施の形態１
以下において、本考案の実施の形態１における小物入れを、図１乃至図３を基に詳述する。図１（ａ）は小物入れの外観斜視図、同（ｂ）はその小物入れを底面から見た外観斜視図、同（ｃ）は（ａ）のＡ−Ａ線で切断した断面図である。すなわち、小物入れ１０は、その全体が桐材の薄板の小片を接着剤で貼り合わせて構成された板厚寸法がＷの６枚の板状の側板１２と、一枚の正六角形の板状の底板１１とからなり、多角筒体１３を形成する。
【００１９】
上記多角筒体１３は、各側板１２の端面のところを互いに接着剤によりつなぎ合わせて正六角形状に形成されるとともに、多角筒体１３の各外表面は平面に形成される。また、正六角柱体の多角筒体１３の上面は小物を出し入れする開口１４を形成し、多角筒体１３の下面には底板１１が形成される。
【００２０】
また、小物入れ１０の底板１１の外周縁の各辺には、断面Ｌ形状の切り込み１５が形成される。この切り込み１５の各辺の幅は、図１（ｃ）に示されるように、寸法Ｗに形成される。これにより、この小物入れ１０を同一構造の別の小物入れの上に積み重ねると、上下に積み重ねられた各小物入れ１０の多角筒体１３の各外表面は連続した段差のない面一構造となる。
【００２１】
また、多角筒体１３の各側板１２の中程のところには、図１（ａ）、（ｂ）においてハッチングで示すように、その全周に亘って帯状の磁性部材１６が取り付けられる。この磁性部材１６は、具体的には、磁性部材状のものが使用され、図１（ｃ）に示されるように、予め多角筒体１３の各側板１２のところに穿って形成された溝に磁性部材１６を接着剤を用いて埋め込むようにして取り付けられる。このように溝を設けたことによって磁性部材１６の外表面が、多角筒体１３の外表面とほぼ同一面を形成するようになっている。
【００２２】
上記のように構成された小物入れ１０を複数個用いて小物入れを合体する方法について説明する。すなわち、小物入れ１０を平面的に並べて合体して使用する場合には、図２に示すように、平坦な面上に複数個の小物入れ１０を置く（本例では、７個の小物入れ１０ａ〜１０ｆを置いている）。先ず、第１の小物入れ１０ａと第２の小物入れ１０ｂを接近させ、互いの磁性部材１６ａ，１６ｂ同士を吸着させる。これにより、第１の小物入れ１０ａと第２の小物入れ１０ｂとは、磁性部材１６ａ、１６ｂの吸引力により密着・合体する。同様にして、第３の小物入れ１０ｃの磁性部材１６ｃを第２の小物入れ１０ｂの磁性部材１６ｂに吸着させ、第２の小物入れ１０ｂに第３の小物入れ１０ｃを合体させる。このようにして第４〜第７の小物入れ１０ｄ〜１０ｇを順次合体していくことで、まとまりのあるハニカム形状の小物入れの組が構成される。このように、外周形状が好みの形状となるように複数の小物入れを合体増設していくことができる。
【００２３】
このため、本小物入れによれば、各小物入れ１０が合体してあたかもハニカム形状の外見を呈する小物出し入れの開口が形成されるため、洋ダンスや和ダンス、食器棚、鏡台、机の引き出し等に収納できるので、数多くの小物を整理するのに都合のよい小物入れの組を実現できる。また、小物入れ１０の数を多くすればするほど、ハニカム形状が拡大して小物を収納するスペースを拡大していくことができる。
【００２４】
また、図３に示すように、小物入れを上方向に重箱のように積み重ねていく方法もある。すなわち、各小物入れ１０ｈ〜１０ｌを積み重ねることで、重箱のような形態の小物入れを得ることができる。この場合もタンス等の引き出し等に収納することができる。このような形態で何段にも積み重ねられた小物入れ同士を磁性部材１６ｈ〜１６ｌのところで互いに吸着させることで、重箱状態で、かつ平面的にも上記ハニカム形状をした形態となり、多くの入れ物スペースを有する使用勝手の良い小物入れの組を実現することができる。
実施の形態２
上記実施の形態１では、深さが浅い小物入れ１０について説明したが、実施の形態２の小物入れ２０は、図４に示すように、小物入れの深さを深くした六角柱体に形成し、各側板２２の外表面に幅の大きめの磁性部材２６を貼り付けるようにしたものである。深さの深い小物入れ２０では、ソックス等の靴下類、ネクタイ、下着類といった容積の嵩張る装身具類の小物を収納するのに適している。このような小物入れ２０を用いれば、図５に示すように、小物入れ２０をテーブル３０の上に横向きに置き、かつ、複数個の小物入れ２０を合体させることもできる。このようにすれば、小物を横方向から出し入れできて、使いかってのよい小物入れを得ることができる。
実施の形態３
また、上記実施の形態１，２の小物入れ１０では、細い帯状の磁性部材１６を多角筒体１３に取り巻くようにして設けたが、図６に示すように、実施の形態３の小物入れ３０は、側板１２のうち少なくとも一つの側板の全面に磁性部材２８を貼り付けるように形成される。このような小物入れ３０によれば、磁性部材２８は、帯状の磁性部材１６よりも吸引力が強いため、この磁性部材２８を鋼板で形成された冷蔵庫等の外壁面に吸着して取り付けて使用することもでき、小物入れの用途を広げることができる。
実施の形態４
実施の形態４の小物入れ４０は、図７に示されるように、上記実施の形態１の小物入れ１０の底板１１の外表面のほぼ中央部に、円形状の磁性部材２９を底板１１の外表面と面一となるように構成される。このような実施の形態４の小物入れを、鉄製のテーブル上に置いて使用すると、この小物入れは磁性部材２９の吸引力によって鉄製のテーブル上に固定することができる。
【００２５】
また、上記磁性部材２９を底板１１全面に設けるようにした構造とすることもできる。この場合には磁性部材２９の吸引力をより一層大きくすることができるため、より安定した状態で小物入れを固定することができる。
実施の形態５
また、上記実施の形態１〜４における小物入れ１０，２０，３０，４０の基本形態は六角柱体に形成したが、実施の形態５では、図８に示すような正三角柱体に形成された小物入れ５０、または図９に示すような正四角柱体に形成された小物入れ６０とすることもできる。
【００２６】
もっとも、小物入れの形態は、正六角柱体、正四角柱体、正三角柱体に限られず、その他の多角柱体であってもよいことは勿論である。
実施の形態６
また、上記実施の形態における小物入れ１０，２０，３０，４０，５０，６０は桐材で形成した場合を例に挙げて説明したが、この桐材の代わりに例えば、アクリル等の透明のプラスチック材や、アルミニューム等の非鉄金属で形成することもできる。透明プラスチックを使用した場合には、外部から小物の収納状態を容易に目視できて便利であり、非鉄金属を使用した場合には、小物入れの強度を強くでき、壊れやすい小物を入れて保護するのに便利である。
【図面の簡単な説明】
【００２７】
【図１】（ａ）は、本考案の実施の形態１における小物入れを示す外観斜視図、同（ｂ）はその小物入れを底面から見た外観斜視図、同（ｃ）は（ａ）のＡ−Ａ線で切断したときの断面図である。
【図２】実施の形態１の小物入れをハニカム形状に合体したときの小物入れの組の外観斜視図である。
【図３】実施の形態１の小物入れを上下に積み重ねたときの小物入れの組の外観斜視図である。
【図４】実施の形態２の小物入れを示す外観斜視図である。
【図５】実施の形態２の小物入れを複数個合体したときの小物入れの組の外観斜視図である。
【図６】実施の形態３の小物入れの外観斜視図である。
【図７】実施の形態４の小物入れの外観斜視図である。
【図８】実施の形態５の小物入れの外観斜視図である。
【図９】実施の形態５の小物入れの変形例を示す外観斜視図である。
【符号の説明】
【００２８】
１０、２０，３０，４０，５０，６０  小物入れ
１１  底板
１２、２２  側板
１３  多角筒体
１４  開口
１５  切り込み
１６、１６ａ〜１６ｃ、１６ｈ〜１６ｌ  磁性部材
２６、２８，２９  磁性部材
【図１】
0003105631.tif 000003
【図２】
0003105631.tif 000004
【図３】
0003105631.tif 000005
【図４】
0003105631.tif 000006
【図５】
0003105631.tif 000007
【図６】
0003105631.tif 000008
【図７】
0003105631.tif 000009
【図８】
0003105631.tif 000010
【図９】
0003105631.tif 000011